(57)【要約】【課題】ステップ運動の過程において水平滑動を行い、位置移動をすることを可能としたステップ運動装置のステップ板滑動機構を提供する。【解決手段】ステップ板を滑動部の滑動バーの上に設置することにより、滑動バーは滑動溝に沿って水平方向に活動して位置移動を行うことができ、滑動溝は支えグループを通して、ステップ装置本体の基礎部と組み合わさって設置され、滑動バーの一端は連動アームと連結し、連動アームと連動する。さらに、連動アームと支えグループは、ステップ板が往復ステップ運動される過程において連動され、ダンパー制振器によってステップ運動時にステップ板に抵抗力を与える。連動アームは滑動バーを押したり引っ張ることができるため、滑動バー上のステップ板はステップ運動の過程において水平な滑動を行い、位置移動をすることが可能である。【選択図】図２
0003123735.tif 000002
【実用新案登録請求の範囲】
【請求項１】
一組のステップ用ステップ板を具えたステップ運動装置本体を有し、該ステップ板は滑動部と組み合わせて設けられ、該滑動部により前記ステップ板が上下運動をするとともに、水平方向の位置移動の運動効果を具えることを特徴とするステップ運動装置のステップ板滑動機構。
【請求項２】
前記滑動部には、相互に対応した滑動溝と滑りバーを備え、該滑動溝はステップ運動装置本体と連接し、前記滑りバーをステップ板と組み合わせて設けることにより、滑りバーの上のステップ板が滑動部の滑動溝に沿って水平に位置移動できることを特徴とする請求項１記載のステップ運動装置のステップ板滑動機構。
【請求項３】
前記滑動溝内にはリング体が設けられ、前記滑動バーが水平に位置移動をし易いように支えることを特徴とする請求項２記載のステップ運動装置のステップ板滑動機構。
【請求項４】
前記滑動部の滑動溝は、支えグループとステップ運動装置本体とによって組み合わせて設けられ、該支えグループがダンパー制振器と連動することにより、ステップ板がステップ運動される時に抵抗力を提供することを特徴とする請求項２記載のステップ運動装置のステップ板滑動機構。
【請求項５】
前記滑りバーは連動アームと連結し、該連動アームはステップ運動装置本体の上にピボット設置され、並びに前記滑りバーにしたがって移動が可能であることを特徴とする請求項２記載のステップ運動装置のステップ板滑動機構。
【考案の詳細な説明】
【技術分野】
【０００１】
本考案は、ステップ運動装置のステップ板滑動機構に係り、特にステップ板に上下運動の外に、前後の滑動移動の運動効果を具えたステップ運動装置のステップ板滑動機構に関する。
【背景技術】
【０００２】
現代において多くの人々は、運動を行う時間と空間を欠如している。それに対応して、各種の家庭内用の小型フィットネス器具が提供され、それにより使用者は少ない空き時間を利用して家の中で運動することができるようになっている。この家庭の小型フィットネス器具は、使用方法が簡単であり、使用年齢の幅も広く、価格も手ごろであり、さらに場所をとらないため、フィットネス器具の中でもステップ器は最も人気がある。その一つに、フィットネス器具としてのステップ運動装置があり、このステップ運動装置は徐々に改良され、例えば歩数の記録機能を付加したり、人間工学的な設計を具えたりしている。
【０００３】
従来のステップ運動装置は、それぞれ足部に対応する二つのステップ板を具え、使用者の両足がステップできるようにし、並びに上下の往復ステップ運動を行うことができ、また油圧バーに合わせて抵抗力を提供して、さらにフィットネスの効果を向上できるようになっている。
【０００４】
このような従来のステップ装置の構造は、確かにフィットネスの効果を得ることができ、カロリーを消耗するなどの効果が得られる。しかしながら、ステップ運動装置の運動の過程では、ただ単調な上下ステップ運動の往復しか行えず、且つステップ板全体の水平方向の位置の移動量は５ｃｍ足らずであり、人体の正常な歩行時の動作と異なるだけでなく、使用上においてもスムーズではない。
【０００５】
また、新しいものを追い求める現代人にとって、このような単調な運動方法では面白みに欠け、つまらないため、多くの場合、少しの時間が経つと、ステップ運動装置は部屋の片隅に仕舞われて、二度と使用されないといた事態も生じる。しかしながら、ステップ運動装置が大きな水平方向の移動量を具えると、人体の実際の歩行の感覚に近づけることができる。しかし、それにはより大型のステップ運動装置だけしかその機能を組み込むことができない。
【０００６】
例えば、中華民国特許証書番号M２８７１６７号の「楕円軌道のステップ装置の改良構造」は、ステップ板がステップ運動を受けることにより楕円型の滑動を呈すことにより、より変化性を具えている。
【０００７】
しかしながら、このような大型のステップ運動装置は値段が高いだけではなく、さらに置くための大きな空間が必要であり、加えて携帯や運搬上において使用者に困惑を生じさせるため、一般の使用者が購買するのに不向きである。
【０００８】
上述のように、従来の小型ステップ運動装置と大型ステップ運動装置とはお互いに両者に有利な点を兼ね、さらには欠点を補うことができないため、多くの改良の余地がある。
【特許文献１】中華民国特許証書番号M２８７１６７号
【考案の開示】
【考案が解決しようとする課題】
【０００９】
従来のステップ運動装置には以下のような欠点があった。
【００１０】
すなわち、従来のステップ運動装置の運動の過程では、ただ単調な上下ステップ運動の往復しか行えず、且つステップ板全体の水平向の位置の移動量は５ｃｍ足らずであり、人体の正常な歩行時の動作と異なるだけでなく、使用上においてもスムーズではない。
【００１１】
また、ステップ運動装置に大きな水平方向の移動量を具えると人体の実際の歩行の感覚に近づけることができるが、それにはより大型のステップ運動装置だけしかその要求に答えることができない。しかしながら、このような大型のステップ運動装置は高価格であるだけではなく、さらに置くための大きな空間が必要であり、加えて携帯や運搬上において使用者に困惑を生じさせるため、一般の使用者が購買するのに不向きである。
【００１２】
さらに、従来の小型ステップ運動装置と大型ステップ運動装置とは、それぞれの利点を兼ね備えることが不可能であり、さらには欠点を補うことができない。
【００１３】
本考案は、上記の問題点を解決したステップ運動装置のステップ板滑動機構を提供することを目的とするものである。
【課題を解決するための手段】
【００１４】
上記課題を解決するために、本考案のステップ運動装置のステップ板滑動機構は、  一組のステップ用ステップ板を具えたステップ運動装置本体を有し、該ステップ板は滑動部と組み合わせて設けられ、該滑動部により前記ステップ板が上下運動をするとともに、水平方向の位置移動の運動効果を具えている。
【００１５】
この構成で、公知のステップ運動装置の上に応用することが可能であり、大型のステップ運動装置を用いることなく、楕円型の軌道の運動効果に達することができるため、従来のものよりも実用性が優れ、設置空間と必要なコストを最小限に抑えることができる。
【考案の効果】
【００１６】
本考案によれば、滑動バー上のステップ板はステップ運動の過程において水平な滑動を行い、位置移動をすることができ、そのため、ステップ運動装置本体のステップ運動方法が、より人体の正常な歩行の過程に符合するのみでなく、さらなる変化性と面白さを具え、また、従来のステップ運動装置の上に応用することが可能であり、大型のステップ装置を必要としなくとも、楕円型の軌道の運動効果に達することができるため、実用性が優れ、設置空間と必要なコストを最小限に抑えることができる。
【考案を実施するための最良の形態】
【００１７】
以下、図面を参照して本考案の実施例を説明する。
【実施例】
【００１８】
本考案の一実施例は、ステップ運動装置のステップ板滑動機構に関するものである。図１及び図２に示すように、ステップ運動装置本体１は、該ステップ運動装置本体１の基礎部１０の両側にそれぞれ対称に、支えグループ１１、ダンパー制振器１２、連動アーム１３、滑動部１４及びステップ板１５が設けられている。
【００１９】
前記基礎部１０の先端には、左右それぞれに二つの支柱部１０１が設けられており、さらに末端には一つの支柱バー１０２が設けられている。該支柱部１０１及び支柱バー１０２は、前記基礎部１０を定位させるのに用いられる。使用者が、ステップ運動装置本体１上でステップ運動を行う時に、該ステップ運動装置本体が転倒しないよう安定させて設置可能になっている。また、基礎部１０は、二つの支柱部１０１との間に一つの筒状のヘッド部１０３を上に向かって延伸し、該ヘッド部１０３内には一つの表示ユニット１０３１を埋設することができるようになっている。これにより、カロリー消費量或いはステップ回数などといった運動による効果や情報を使用者に提供可能になっている。
【００２０】
さらに、ヘッド部１０３の間には、連動バー１０３２がピボット設置されており、これにより両側のステップ板１５などが相互に連動できるようになっている。前記ステップ板１５がステップ運動を受けた時、同時にもう片側のステップ板１５と連動して元の位置に戻るようになっている。なお、前記表示ユニット１０３１及び連動バー１０３２の構成と作動原理は公知のものであるため、説明を省略する。
【００２１】
前記基礎部１０は、ヘッド部１０３及びそれに隣接する箇所に第一次軸部１０４、第二軸部１０５を設けて、支えグループ１１とピボット接合され、さらに基礎部１０の末端の支柱バー１０２の両側はそれぞれにピボット設置されたダンパー制振器１２が設けてある。
【００２２】
前記ダンパー制振器１２は、本考案の実施例では油圧ダンパーとすることが可能であり、またステップ板１５がステップ運動を受ける時に抵抗力の効果を提供するために用いられる。
【００２３】
前記支えグループ１１は、二片の前部の支え１１１及び二片の後部の支え１１２によって組み合わせて構成され、滑動部によって前部の支え１１１及び二片の後部の支え１１２の上端に固定して設置することが可能である。さらに、基礎部１０に比較的に近い前部の支え１１１の上には、嵌合溝１１１１と固定バー１１１２を設け、連動バー１０３２と共に勘合したり、連動したりすることができるようになっている。
【００２４】
前記支えグループ１１は、第一軸バー１１３と第二軸バー１１４を基礎部の第一軸部１０４と第二軸部１０５ピボット接合されている。該二片の前部の支え１１１の底端には、それぞれ形成されてなる一つのロック孔１１５があり、連動アーム１３のピボット接合に用いられる。また、後部の支え１１２の間には、後ろバー１１６が設けてあり、ダンパー制振器１２の連接に用いられる。  前記後ろバー１１６の上には、一つの引きバー１１７を設けることにより、連動アーム１３と連動するようになっている。
【００２５】
前記連動アームは、弓形を呈してなり、その一端は曲折と回転が可能なピボット軸部１３１と滑動部１４に連接している。さらに、連動アーム１３のもう一端は、支えグループ１１の前部の支え１１１のロック孔１１５の中にピボット接合している。並びに、その箇所を支点として、連動アーム１３は、支えせグループ１１の引きバー１１７と連接しており、これにより連動アーム１３と支えグループ１１とが連動するようになっている。
【００２６】
前記滑動１４は、一つの滑り溝１４１と一つの滑りバー１４２を含めて構成され、該滑り溝１４１内にはリング体１４３が設けられており、これにより滑りバー１４２が滑り溝１４１に沿って順調に滑動できる。また、滑り溝１４１は、支えグループ１１の前部支え１１１と後期の支え１１２の上に固定して設けられている。さらに、滑り軸１４２は、連動アーム１３のピボット軸部１３１と連接し、加えて滑りバー１４２の上にはステップ板１５が固定して設けられている。
【００２７】
本実施例のステップ運動装置を組み合わせる時に、連動アーム１３と前部の支え１１１のロック孔１１５及び、引きバー１１７とピボット結合し、さらにダンパー制振器１２は、後部の支え１１２の間の後ろバー１１６の上カバー接合してなる。    
続いて、第一軸バー１１３によって支えグループ１１の前部の支え１１１を基礎部１０の第一軸部１０４の箇所にピボット設置し、さらに第二軸バー１１４によって支えグループ１１の後部の支え１１２を基礎部１０の第二軸部１０５の箇所にピボット設置する。
【００２８】
そのほか、滑動部１４の滑り溝１４１を支えグループ１１の前部の支え１１１と後部の支え１１２の上に固定して設け、さらに滑りバー１４２と連動アームのピボット軸部１３１ピボット接合させ、最後にステップ板１５と滑りバー１４２を組み合わせることにより、本実施例のステップ運動装置本体１の組み立てを完成させることができる。また、完成後の外観の立体図として図２が示される。
【００２９】
図３〜図８に示すように、本実施例のステップ運動装置のステップ板１５の滑動機構は、ステップ板１５が使用者にステップ往復運動の効果を提供するだけでなく、さらに滑動部１４を通してステップ板１５に水平方向の位置移動や滑動の効果を増加させるものである。また、水平方向の滑動値は、最高３０センチ以上とすることが可能であり、そのため人体の歩行の動作に符合するだけでなく、使用上においても更に変化を持たせることができる。
【００３０】
図３に示すように、滑り溝１４１は、二つのリング体１４３の補助を通すことよって、滑りバー１４２が滑り溝１４１に沿って滑動する時のスムーズ性を保持し、また状況によって必要とするリング体１４３を増やすことができる。図の表示が複雑になるのを防ぐため、図５及び図６はステップ運動装置本体１の片側の形態で示している。
【００３１】
図７及び図８は滑動部１４の局部分解図であり、図５及び図７に示すように、ステップ運動装置本体１はステップ運動を受ける時、片側のステップ板１５は力を受けて下に踏まれ、側辺の支えグループ１１はステップ板１５に沿ってステップ板１５は下に圧縮され、図６及び図８に示す状態を形成する。
【００３２】
ステップ板１５がステップ運動を受ける過程の中で、ダンパー制振器１２が圧縮を受けることにより、使用者のステップの力と対抗する抵抗力が生じる。さらに、連動アーム１３と支えグループ１１の引きバー１１７が連動することにより、支えグループ１１がステップ運動により圧縮された時に連動アーム１３とそのピボット軸部１３１は引きバー１１７の引く力を受けてステップ板装置の末端に推移し、並びにピボット軸部１３１にピボット設置された滑動部１４の滑りバー１４２を滑り溝１４１に沿って末端へと位置移動させ、且つ連動アーム１３は滑りバー１４２が位置移動の過程において定位させることを補助する効果を具えている。逆に、ステップ板１５が上昇する時には、支えグループ１１は引っ張られ、伸ばされる。連動アーム１３は、また引きバー１１７の力を受けてステップ装置本体１の先端方向に移動し、ステップ板１５滑りバー１４２を引っ張って、元の位置に戻すことにより、往復ステップの運動の過程がより順調に行えるようにさせる。
【００３３】
本考案では、好適な実施例を前述の通り開示したが、これらの実施例は決して本考案を限定するものでなく、当該技術を熟知する者なら誰でも、本考案の精神と領域を脱しない範囲で各種の変形や潤色を加えることができ、従って本考案の保護範囲は実用新案請求の範囲で指定した内容を基準とする。
【図面の簡単な説明】
【００３４】
【図１】本考案の一実施例のステップ運動装置のステップ板の滑動機構の立体分解図である。
【図２】本実施例のステップ運動装置のステップ板の滑動機構の立体図である。
【図３】本実施例のステップ運動装置のステップ板の滑動機構の側面透視図である。
【図４】図３の中のAB線の断面説明図である。
【図５】本実施例のステップ運動装置のステップ板の滑動機構のステップ板の（上昇時の）復位状態の片側から見た側面図である。
【図６】本実施例のステップ運動装置のステップ板の滑動機構のステップ板の（下降の時）復位状態の片側から見た側面図である。
【図７】本実施例のステップ運動装置のステップ板の滑動機構の（上昇時）滑動部位の断面説明図である。
【図８】本実施例のステップ運動装置のステップ板の滑動機構の（下降の時）滑動部位の断面説明図である。
【符号の説明】
【００３５】
１        ステップ装置本体
１０      基礎部
１０１    支柱部
１０２    支柱バー
１０３    ヘッド部
１０３１  表示ユニット
１０３２  連動バー
１０４    第一軸部
１０５    第二軸部
１１      支えグループ
１１１    前部の支え
１１１１  嵌合溝
１１２    後部の支え
１１１２  定位バー
１１３    第一軸バー
１１４    第二軸バー
１１５    ロック孔
１１６    後ろバー
１１７    引きバー
１２      ダンパー制振器
１３      連動アーム
１３１    ピボット軸部
１４      滑動部
１４１    滑り溝
１４２    滑りバー
１４３    リング体
１５      ステップ板
【図１】
0003123735.tif 000003
【図２】
0003123735.tif 000004
【図３】
0003123735.tif 000005
【図４】
0003123735.tif 000006
【図５】
0003123735.tif 000007
【図６】
0003123735.tif 000008
【図７】
0003123735.tif 000009
【図８】
0003123735.tif 000010